(57)【要約】【課題】投入硬貨の硬貨貯留容量を容易に増量可能とする。【解決手段】上向きで装置外に開口し装置外から硬貨が投入される補給装置硬貨投入口２７と、補給装置硬貨投入口２７に投入された硬貨を貯留する硬貨貯留部３１と、硬貨貯留部３１に貯留している硬貨を搬送する硬貨搬送部３２と、下向きで装置外に開口し硬貨貯留部３１から硬貨搬送部３２で搬送される硬貨を装置外へ放出する硬貨放出口とを備える硬貨補給装置３を、上向きで装置外に開口する処理装置硬貨投入口を有し該処理装置硬貨投入口に投入された硬貨を処理する硬貨処理装置２に、硬貨放出口から処理装置硬貨投入口に硬貨を導入可能となるように設ける。【選択図】図１
2018128763.tif 000002
【特許請求の範囲】
【請求項１】
上向きで装置外に開口し装置外から硬貨が投入される補給装置硬貨投入口と、
前記補給装置硬貨投入口に投入された硬貨を貯留する硬貨貯留部と、
前記硬貨貯留部に貯留している硬貨を搬送する硬貨搬送部と、
下向きで装置外に開口し前記硬貨貯留部から前記硬貨搬送部で搬送される硬貨を装置外へ放出する硬貨放出口とを備えることを特徴とする硬貨補給装置。
【請求項２】
上向きで装置外に開口し装置外から投入された硬貨を前記硬貨放出口に直接落下させる補助硬貨投入口を更に備えることを特徴とする請求項１に記載の硬貨補給装置。
【請求項３】
前記補助硬貨投入口は、前記硬貨放出口の鉛直上方に配置されていることを特徴とする請求項２に記載の硬貨補給装置。
【請求項４】
前記硬貨放出口を開閉するシャッタを更に備えることを特徴とする請求項１から３の何れか一項に記載の硬貨補給装置。
【請求項５】
請求項１から４の何れか一項に記載の硬貨補給装置と、
上向きで装置外に開口する処理装置硬貨投入口を有し該処理装置硬貨投入口に投入された硬貨を処理する硬貨処理装置とを備え、
前記硬貨補給装置は、前記硬貨放出口から前記処理装置硬貨投入口に硬貨を導入可能であることを特徴とする硬貨処理機。
【請求項６】
前記硬貨補給装置は、前記硬貨放出口を前記処理装置硬貨投入口の鉛直上方に配置し、前記硬貨放出口から前記処理装置硬貨投入口に直接硬貨を導入することを特徴とする請求項５に記載の硬貨処理機。
【請求項７】
前記硬貨貯留部における硬貨貯留容量は、前記処理装置硬貨投入口における硬貨貯留容量よりも多いことを特徴とする請求項５又は６に記載の硬貨処理機。
【請求項８】
前記硬貨補給装置は、
前記硬貨貯留部内の硬貨の有無を検知する貯留部硬貨検知センサを更に備え、
前記貯留部硬貨検知センサによって前記硬貨貯留部内の硬貨が検知されると、前記硬貨処理装置に通知すると共に、前記硬貨搬送部が硬貨の搬送を開始することを特徴とする請求項５から７の何れか一項に記載の硬貨処理機。
【請求項９】
前記硬貨補給装置は、
前記硬貨貯留部内の硬貨の有無を検知する貯留部硬貨検知センサを更に備え、
前記貯留部硬貨検知センサによって前記硬貨貯留部内の硬貨が検知されると、前記硬貨処理装置に前記硬貨搬送部が硬貨の搬送を開始することが可能となったことを通知すると共に、前記硬貨処理装置からの硬貨搬送開始を指示する信号を受けることで前記硬貨搬送部に硬貨の搬送を開始させることを特徴とする請求項５から７の何れか一項に記載の硬貨処理機。
【請求項１０】
前記硬貨補給装置は、前記硬貨処理装置から異常検知が通知されると、前記シャッタで前記硬貨放出口を閉じると共に、前記硬貨搬送部を停止させることを特徴とする請求項５から９の何れか一項に記載の硬貨処理機。
【請求項１１】
前記硬貨補給装置は、前記処理装置硬貨投入口の硬貨量に応じて、前記硬貨搬送部による硬貨の搬送を制御することを特徴とする請求項５から１０の何れか一項に記載の硬貨処理機。
【発明の詳細な説明】
【技術分野】
【０００１】
本発明は、硬貨補給装置及び硬貨処理機に関する。
【背景技術】
【０００２】
預り金等の入金硬貨が硬貨投入口に投入されると、これを識別して金種別に収納すると共に、収納している硬貨の中から釣銭等の出金硬貨を硬貨出金口に払い出すことができる釣銭機がある（例えば特許文献１参照）。
【先行技術文献】
【特許文献】
【０００３】
【特許文献１】特開２０１０−１０２７４４号公報
【発明の概要】
【発明が解決しようとする課題】
【０００４】
釣銭機のような硬貨処理装置においては、投入硬貨を一括で受け入れて貯留する硬貨投入口の硬貨貯留容量よりも多い硬貨を一度に処理させる場合に、オペレータが硬貨投入口の状態を目視で確認しながら手作業で数回に分けて硬貨を投入する必要がある。このため、オペレータは硬貨処理装置から離れることができなくなってしまう。
【０００５】
本発明は、投入硬貨の硬貨貯留容量を容易に増量可能な硬貨補給装置及びこれを用いた硬貨処理機の提供を目的とする。
【課題を解決するための手段】
【０００６】
上記目的を達成するために、本発明に係る第１の態様の硬貨補給装置は、上向きで装置外に開口し装置外から硬貨が投入される補給装置硬貨投入口と、前記補給装置硬貨投入口に投入された硬貨を貯留する硬貨貯留部と、前記硬貨貯留部に貯留している硬貨を搬送する硬貨搬送部と、下向きで装置外に開口し前記硬貨貯留部から前記硬貨搬送部で搬送される硬貨を装置外へ放出する硬貨放出口とを備えることを特徴とする。
【０００７】
上記第１の態様の硬貨補給装置によれば、上向きで装置外に開口する補給装置硬貨投入口に硬貨が投入されると、この硬貨を硬貨貯留部が貯留することになり、硬貨搬送部が硬貨貯留部に貯留している硬貨を搬送すると、この硬貨を下向きで装置外に開口する硬貨放出口から装置外へ放出することになる。よって、この硬貨補給装置を、硬貨放出口からの硬貨を硬貨処理装置の処理装置硬貨投入口に導入するように設けることで、装置外から投入され硬貨処理装置で内部に繰り出す前の投入硬貨の硬貨貯留容量を容易に増量可能となる。
【０００８】
本発明に係る第２の態様の硬貨補給装置は、上記第１の態様において、上向きで装置外に開口し装置外から投入された硬貨を前記硬貨放出口に直接落下させる補助硬貨投入口を更に備えることを特徴とする。
【０００９】
上記第２の態様の硬貨補給装置によれば、上向きで装置外に開口する補助硬貨投入口に装置外から硬貨を投入すれば、この硬貨を硬貨放出口に直接落下させることができる。よって、少量の硬貨を投入する際に、補助硬貨投入口に投入すれば、即座に硬貨補給装置の硬貨放出口から硬貨処理装置の処理装置硬貨投入口に硬貨を導入することができる。
【００１０】
本発明に係る第３の態様の硬貨補給装置は、上記第２の態様において、前記補助硬貨投入口が前記硬貨放出口の鉛直上方に配置されていることを特徴とする。
【００１１】
上記第３の態様の硬貨補給装置によれば、上向きで装置外に開口する補助硬貨投入口に装置外から硬貨を投入すれば、この硬貨を鉛直下方の硬貨放出口に落下させることができる。よって、少量の硬貨を投入する際に、補助硬貨投入口に投入すれば、即座に硬貨補給装置の硬貨放出口から硬貨処理装置の処理装置硬貨投入口に硬貨を導入することができる。
【００１２】
本発明に係る第４の態様の硬貨補給装置は、上記第１から第３の何れか一態様において、前記硬貨放出口を開閉するシャッタを更に備えることを特徴とする。
【００１３】
上記第４の態様の硬貨補給装置によれば、例えば、硬貨処理装置から異常検知が通知された際に、シャッタで硬貨放出口を閉じることができるため、硬貨処理装置の異常復旧作業等の際に、硬貨補給装置からの硬貨の零れを抑制することができる。
【００１４】
本発明に係る第５の態様の硬貨処理機は、上記第１から第４の何れか一態様の硬貨補給装置と、上向きで装置外に開口する処理装置硬貨投入口を有し該処理装置硬貨投入口に投入された硬貨を処理する硬貨処理装置とを備え、前記硬貨補給装置が前記硬貨放出口から前記処理装置硬貨投入口に硬貨を導入可能であることを特徴とする。
【００１５】
上記第５の態様の硬貨処理機によれば、硬貨補給装置の上向きで装置外に開口する補給装置硬貨投入口に硬貨が投入されると、この硬貨を硬貨貯留部が貯留することになり、硬貨搬送部が硬貨貯留部に貯留している硬貨を搬送すると、この硬貨を、下向きで装置外に開口する硬貨放出口から硬貨処理装置の処理装置硬貨投入口に導入することになる。よって、機外から投入され硬貨処理装置で内部に繰り出す前の投入硬貨の硬貨貯留容量を容易に増量可能となる。
【００１６】
本発明に係る第６の態様の硬貨処理機は、上記第５の態様において、前記硬貨補給装置が、前記硬貨放出口を前記処理装置硬貨投入口の鉛直上方に配置し、前記硬貨放出口から前記処理装置硬貨投入口に直接硬貨を導入することを特徴とする。
【００１７】
上記第６の態様の硬貨処理機によれば、硬貨補給装置の硬貨放出口から放出される硬貨を、硬貨放出口の鉛直下方の処理装置硬貨投入口に直接導入するため、構造を簡素化することができる。
【００１８】
本発明に係る第７の態様の硬貨処理機は、上記第５又は第６の態様において、前記硬貨貯留部における硬貨貯留容量が、前記処理装置硬貨投入口における硬貨貯留容量よりも多いことを特徴とする。
【００１９】
上記第７の態様の硬貨処理機によれば、硬貨補給装置の硬貨貯留部における硬貨貯留容量が、硬貨処理装置の処理装置硬貨投入口における硬貨貯留容量よりも多いため、投入硬貨の硬貨貯留容量を容易に増量することができる。
【００２０】
本発明に係る第８の態様の硬貨処理機は、上記第５から第７の何れか一態様において、前記硬貨補給装置が、前記硬貨貯留部内の硬貨の有無を検知する貯留部硬貨検知センサを更に備え、前記貯留部硬貨検知センサによって前記硬貨貯留部内の硬貨が検知されると、前記硬貨処理装置に通知すると共に、前記硬貨搬送部が硬貨の搬送を開始することを特徴とする。
【００２１】
上記第８の態様の硬貨処理機によれば、硬貨補給装置は、硬貨貯留部内の硬貨が貯留部硬貨検知センサによって検知されると、硬貨処理装置に通知すると共に、硬貨搬送部が硬貨の搬送を開始するため、硬貨補給装置に硬貨を投入すれば、自動的に硬貨処理装置へ通知でき、自動的に硬貨搬送部による硬貨の搬送を開始できる。
【００２２】
本発明に係る第９の態様の硬貨処理機は、上記第５から第７の何れか一態様において、前記硬貨補給装置が、前記硬貨貯留部内の硬貨の有無を検知する貯留部硬貨検知センサを更に備え、前記貯留部硬貨検知センサによって前記硬貨貯留部内の硬貨が検知されると、前記硬貨処理装置に前記硬貨搬送部が硬貨の搬送を開始することが可能となったことを通知すると共に、前記硬貨処理装置からの硬貨搬送開始を指示する信号を受けることで前記硬貨搬送部に硬貨の搬送を開始させることを特徴とする。
【００２３】
上記第９の態様の硬貨処理機によれば、硬貨補給装置は、硬貨貯留部内の硬貨が貯留部硬貨検知センサによって検知されると、硬貨処理装置に通知すると共に硬貨処理装置からの信号を受けることで、硬貨搬送部が硬貨の搬送を開始するため、硬貨補給装置に硬貨を投入すれば、自動的に硬貨搬送部による硬貨の搬送を開始できる。
【００２４】
本発明に係る第１０の態様の硬貨処理機は、上記第５から第９の何れか一態様において、前記硬貨補給装置が、前記硬貨処理装置から異常検知が通知されると、前記シャッタで前記硬貨放出口を閉じると共に、前記硬貨搬送部を停止させることを特徴とする。
【００２５】
上記第１０の態様の硬貨処理機によれば、硬貨処理装置から異常検知が通知されると、硬貨補給装置はシャッタで硬貨放出口を閉じると共に、硬貨搬送部を停止させるため、硬貨処理装置の異常復旧作業等の際に、硬貨補給装置からの硬貨の零れを抑制することができる。
【００２６】
本発明に係る第１１の態様の硬貨処理機は、上記第５から第１０の何れか一態様において、前記硬貨補給装置が、前記処理装置硬貨投入口の硬貨量に応じて、前記硬貨搬送部による硬貨の搬送を制御することを特徴とする。
【００２７】
上記第１１の態様の硬貨処理機によれば、硬貨補給装置は、硬貨処理装置の処理装置硬貨投入口の硬貨量に応じて、硬貨搬送部による硬貨の搬送を制御するため、処理装置硬貨投入口の硬貨量が過多及び過少状態になることを抑制することが可能となる。
【発明の効果】
【００２８】
本発明によれば、投入硬貨の硬貨貯留容量を容易に増量可能な硬貨補給装置及びこれを用いた硬貨処理機を提供することができる。
【図面の簡単な説明】
【００２９】
【図１】本発明に係る硬貨処理機の一実施形態である貨幣処理機を示す斜視図である。
【図２】本発明に係る硬貨処理機の一実施形態である貨幣処理機の貨幣処理装置及びラックを示す斜視図である。
【図３】本発明に係る硬貨補給装置の一実施形態を示す斜視図である。
【図４】本発明に係る硬貨補給装置の一実施形態を示す平面図であって、（ａ）はシャッタを開いた状態、（ｂ）はシャッタを閉じた状態をそれぞれ示すものである。
【図５】本発明に係る硬貨補給装置の一実施形態を概略的に示す一部を断面とした側面図である。
【図６】本発明に係る硬貨処理機の一実施形態である貨幣処理機を含む精算処理システムの要部のブロック図である
【発明を実施するための形態】
【００３０】
本発明の一実施形態を図面を参照して説明する。
【００３１】
図１に示す実施形態の貨幣処理機１は、硬貨の処理を行う硬貨処理機の一種であり、硬貨に加えて紙幣の処理を行うもの、即ち貨幣の処理を行うものである。貨幣処理機１は、硬貨の処理を行う硬貨処理装置の一種であって硬貨及び紙幣の処理を行う貨幣処理装置２と、この貨幣処理装置２に硬貨の補給を行う実施形態の硬貨補給装置３とを備えている。なお、以下の説明において、「前」は前後方向の前側つまりオペレータから見て手前側であり、「後」は前後方向の後側つまりオペレータから見て奥側であり、「左」はオペレータから見て左側であり、「右」はオペレータから見て右側である。
【００３２】
貨幣処理機１は、貨幣処理装置２がセットされるラック１０と、ラック１０に硬貨補給装置３を取り付けるためのブラケット１１とを備えている。ラック１０は、前面１３ａ側に開口して後方に凹むセット凹部１２を上部に有する箱状の台本体１３と、台本体１３の下部の四隅に取り付けられたキャスタ１４と、台本体１３の下部の前面１３ａ側の左右に取り付けられた伸縮可能なロック部材１５とを有している。キャスタ１４は、ロック部材１５が縮長状態にあるとき貨幣処理機１を走行移動させることができ、ロック部材１５は伸長状態とされて貨幣処理機１の移動を規制することになる。
【００３３】
台本体１３には、図２に示すように、その最も上側の天板部１６の右側部に、天板部１６の上面１６ａから下方に凹むネジ穴１７を複数有する取付部１８が設けられている。この取付部１８に、図１に示すブラケット１１が、ネジ穴１７に螺合するビスで取り付けられ、このブラケット１１に硬貨補給装置３が取り付けられる。ラック１０の天板部１６はセット凹部１２の上端部を構成している。
【００３４】
図１に示すように、硬貨補給装置３は、長さ方向を前後方向にしてラック１０の上部の右側にブラケット１１を介して取り付けられている。ラック１０の上面１６ａには、貨幣処理機１の上位機となるＰＯＳ端末装置１１０が、硬貨補給装置３の左側にこれと並んで設置される。貨幣処理機１は、ＰＯＳ端末装置１１０に接続されて、ＰＯＳ端末装置１１０とによって、売上金の入金及び釣銭の出金等を行う精算処理システム５を構成する。
【００３５】
図３に示すように、硬貨補給装置３は、その外側部分を構成する補給装置筐体２１を備えている。補給装置筐体２１は略直方体形状の主筐体部２２と、主筐体部２２の長さ方向の一端の前面２２ａから主筐体部２２の長さ方向に沿って前方に突出する略直方体形状の突出筐体部２３とを一体に有している。
【００３６】
主筐体部２２の上面２２ｂは、主筐体部２２の長さ方向における突出筐体部２３側が、突出筐体部２３側ほど高さが低くなるように水平に対し若干前下がりに傾斜する傾斜上面２２ｃとなっており、主筐体部２２の長さ方向における中間及び突出筐体部２３とは反対側が、傾斜上面２２ｃの突出筐体部２３とは反対側の端縁部から水平に広がる平坦な主上面２２ｄとなっている。突出筐体部２３は、上面２３ａが傾斜上面２２ｃの突出筐体部２３側の端縁部よりも下側で水平に対し若干前下がりに傾斜している。上面２３ａは傾斜上面２２ｃに平行となっている。
【００３７】
硬貨補給装置３は、主筐体部２２の傾斜上面２２ｃ内に、上向きで硬貨補給装置３外に開口する補給装置硬貨投入口２７を備えている。硬貨補給装置３には、この補給装置硬貨投入口２７に硬貨補給装置３外からバラ硬貨が金種が混在する状態で或いは金種別に一括して投入される。
【００３８】
硬貨補給装置３は、突出筐体部２３の上面２３ａ内に、上向きで硬貨補給装置３外に開口する補助硬貨投入口２８を備えている。硬貨補給装置３には、この補助硬貨投入口２８にも硬貨補給装置３外からバラ硬貨が金種が混在する状態で或いは金種別に一括して投入される。補助硬貨投入口２８は、補給装置硬貨投入口２７よりも前側且つ下側に配置されており、補給装置硬貨投入口２７よりも開口面積が小さい。
【００３９】
硬貨補給装置３は、主筐体部２２の内側であって補給装置硬貨投入口２７の鉛直下方に、補給装置硬貨投入口２７に投入された硬貨を貯留する凹状の硬貨貯留部３１を備えている。硬貨補給装置３は、硬貨貯留部３１の下部に硬貨貯留部３１に貯留している硬貨を搬送する硬貨搬送部３２を備えている。硬貨貯留部３１は、硬貨補給装置３外から補給装置硬貨投入口２７に投入され硬貨補給装置３で繰り出す前の投入硬貨を一括で貯留する。
【００４０】
硬貨貯留部３１は、補給装置硬貨投入口２７の突出筐体部２３とは反対側の後端縁部から下方に延出する一端壁部３５と、図４に示すように、補給装置硬貨投入口２７における左右両端縁部から下方に延出する一対の側壁部３６と、図５に示すように、補助硬貨投入口２８の一端壁部３５とは反対側の前端縁部よりも前側から下方に延出する他端壁部３７と、補給装置硬貨投入口２７と補助硬貨投入口２８との間から下方に延出する中間壁部３８とを有している。硬貨貯留部３１には、一端壁部３５と一対の側壁部３６と中間壁部３８とで水平４方向が囲まれて硬貨貯留空間３９が設けられている。硬貨貯留空間３９の前方には、中間壁部３８と一対の側壁部３６と他端壁部３７とで水平４方向が囲まれて硬貨通過空間４０が設けられている。補給装置硬貨投入口２７は、硬貨貯留部３１の上方に設けられており、硬貨貯留空間３９を外部に連通させる。補助硬貨投入口２８は、硬貨通過空間４０を外部に連通させる。
【００４１】
一対の側壁部３６は、図３，図４に示すように下側ほど互いに近づくように鏡面対称状に傾斜している。一対の側壁部３６は、補給装置筐体２１の長さ方向において、補給装置硬貨投入口２７及び補助硬貨投入口２８の両方と位置を重ね合わせている。
【００４２】
硬貨搬送部３２は、図５に示すように、一端壁部３５の下側、中間壁部３８の下側及び一対の側壁部３６の下部位置にこれらに近接して配置されるベルトコンベア４１と、給電されてベルトコンベア４１を回転駆動する図６に示す搬送モータ４２とを備えている。ベルトコンベア４１は、その上面４１ａが水平に配置されており、搬送モータ４２で駆動されて上面４１ａを突出筐体部２３に近づける前方向に移動させる。ベルトコンベア４１は、硬貨貯留部３１の底位置に配置されて上面４１ａが硬貨貯留部３１の底面を構成する。硬貨搬送部３２は、硬貨貯留部３１の硬貨貯留空間３９にある硬貨を、ベルトコンベア４１と中間壁部３８との隙間を介して硬貨通過空間４０に繰り出す。
【００４３】
ベルトコンベア４１は、水平方向において、補給装置硬貨投入口２７と位置を重ね合わせており、補助硬貨投入口２８とは位置を重ね合わせていない。よって、補給装置硬貨投入口２７は、ベルトコンベア４１の鉛直上方に配置されている。補給装置硬貨投入口２７に投入された硬貨は、一端壁部３５、一対の側壁部３６及び中間壁部３８で囲まれた硬貨貯留空間３９内でベルトコンベア４１上に載置される。
【００４４】
硬貨搬送部３２は、ベルトコンベア４１の前端部よりも一端壁部３５とは反対側に、傾斜底部４５を備えている。傾斜底部４５は、その上面４５ａが、前後方向において一端壁部３５から離れるほど下側に位置するように傾斜している。
【００４５】
硬貨補給装置３は、突出筐体部２３の下部に硬貨放出口５１を備えている。硬貨放出口５１は、傾斜底部４５の一端壁部３５とは反対側の端縁部と、一対の側壁部３６の下端縁部と、他端壁部３７の下端縁部とで囲まれて形成されている。硬貨放出口５１は、ベルトコンベア４１の上面４１ａよりも下側に配置されており、下向きで硬貨補給装置３外に開口している。硬貨放出口５１は、硬貨補給装置３の前部の下部に設けられており、硬貨通過空間４０を外部に連通させる。硬貨放出口５１は、突出筐体部２３に配置されており、補助硬貨投入口２８の鉛直下方に配置されている。硬貨放出口５１及び補助硬貨投入口２８は、これらと水平方向の位置が合う硬貨通過空間４０を介して互いに連通している。
【００４６】
硬貨補給装置３は、補給装置硬貨投入口２７に投入された硬貨を硬貨貯留部３１がベルトコンベア４１上に載置させて硬貨貯留空間３９に貯留することになり、硬貨搬送部３２のベルトコンベア４１が回転して上面４１ａを前方つまり硬貨放出口５１側に移動させると、その上に載置されている硬貨を、上面４１ａと中間壁部３８との隙間を介して硬貨通過空間４０に繰り出し、傾斜底部４５の上面４５ａ上に落下させる。硬貨搬送部３２の傾斜底部４５は、上面４５ａ上に落下した硬貨を、硬貨の自重で滑らせて硬貨放出口５１に向け移動させる。傾斜底部４５で移動する硬貨は硬貨放出口５１から落下して硬貨補給装置３外に放出される。このように、硬貨放出口５１は、硬貨搬送部３２の搬送方向下流側に配置されていて、硬貨貯留部３１から硬貨搬送部３２で搬送される硬貨を硬貨補給装置３外へ放出する。
【００４７】
補助硬貨投入口２８は、硬貨放出口５１の鉛直上方に配置されており、これらの間は、硬貨貯留部３１が配置されず、硬貨通過空間４０のみとなっている。よって、補助硬貨投入口２８は、硬貨補給装置３外から投入された硬貨を硬貨貯留部３１を介さず硬貨放出口５１に直接落下させる。言い換えれば、硬貨補給装置３は、補助硬貨投入口２８に硬貨補給装置３外から投入された硬貨を硬貨貯留部３１に貯留することなくそのまま硬貨放出口５１から放出する。
【００４８】
硬貨補給装置３は、硬貨放出口５１の位置に、硬貨放出口５１を開閉するシャッタ５５を更に備えている。硬貨補給装置３は、給電されてシャッタ５５を開閉する図６に示す開閉駆動部５６を備えている。シャッタ５５は、図５に実線で示すように後退した開状態では傾斜底部４５の鉛直下方に退避して硬貨放出口５１を開くことになり、開閉駆動部５６の駆動で、他端壁部３７側、即ち前方に移動して、図５に二点鎖線で示す閉状態となると、硬貨放出口５１内で水平に広がって硬貨放出口５１を閉じる。シャッタ５５は、閉状態から開閉駆動部５６の駆動で開状態となる。
【００４９】
図３に示すように、硬貨補給装置３は、硬貨貯留部３１内の硬貨の有無を検知する複数の貯留部硬貨検知センサ６１を更に備えている。貯留部硬貨検知センサ６１は、一対の側壁部３６の下部位置にベルトコンベア４１の延在方向、即ち前後方向に並んで設けられており、ベルトコンベア４１上に載置されている硬貨を、硬貨で遮光されることにより検知する。
【００５０】
図６に示すように、硬貨補給装置３は、硬貨補給装置３の各部を制御する補給装置制御部６５と、硬貨補給装置３の各部に給電する補給装置電源部６６と、貨幣処理装置２及びＰＯＳ端末装置１１０と通信する補給装置通信部６７とを備えている。これら補給装置制御部６５、補給装置電源部６６及び補給装置通信部６７は、図３〜図５に示す主筐体部２２の主上面２２ｄの鉛直下側の内部に配置されている。
【００５１】
図１に示すように、硬貨補給装置３は、ブラケット１１を介してラック１０の天板部１６に取り付けられると、主筐体部２２の前面２２ａを天板部１６の前面１６ｂと面一とすることになり、その結果、突出筐体部２３が天板部１６の前面１６ｂよりも前方に突出する状態になる。よって、突出筐体部２３に設けられた補助硬貨投入口２８及び硬貨放出口５１は、天板部１６の前面１６ｂよりも前方に配置される。
【００５２】
貨幣処理装置２は、前面７０ａ側に開口する凹状のケース体７０に、硬貨入出金ユニット７１と紙幣入出金ユニット７２とが並設されたもので、釣銭機として用いられる。硬貨入出金ユニット７１と紙幣入出金ユニット７２とは、ケース体７０から前方に個別に引き出し可能となるようにケース体７０に支持されている。硬貨入出金ユニット７１は貨幣処理装置２の左右方向における一側、具体的には右側に設けられており、紙幣入出金ユニット７２は左右方向における逆側、具体的には左側に設けられている。
【００５３】
硬貨入出金ユニット７１は、図１に示すようにケース体７０に押し込まれた状態で前部の突出部７５がケース体７０の前面７０ａよりも前方に突出している。紙幣入出金ユニット７２は、図１に示すようにケース体７０に押し込まれた状態で前部の突出部７６がケース体７０の前面７０ａよりも前方に突出している。貨幣処理装置２には、ケース体７０の下側に、棒金を取り出し可能に収納する棒金保管庫７３が設けられている。
【００５４】
貨幣処理装置２は、ケース体７０において、ラック１０のセット凹部１２内にセットされて固定されている。この状態で、ケース体７０の前面７０ａは、セット凹部１２の天板部１６の前面１６ｂよりも若干前方に位置する。よって、貨幣処理装置２は、ラック１０に取り付けられた状態で、ケース体７０に押し込まれた状態の硬貨入出金ユニット７１の突出部７５及び紙幣入出金ユニット７２の突出部７６がセット凹部１２の天板部１６の前面１６ｂよりも前方に突出している。
【００５５】
図２に示すように、硬貨入出金ユニット７１には、突出部７５の上部の右側に、貨幣処理装置２外からバラ硬貨が金種が混在する状態で或いは金種別に一括して投入される処理装置硬貨投入口８１が設けられている。言い換えれば、処理装置硬貨投入口８１は、貨幣処理装置２外から投入された投入硬貨を受け入れて、貨幣処理装置２で内部に繰り出す前に一括で貯留するようになっている。処理装置硬貨投入口８１は上向きで貨幣処理装置２外に開口している。硬貨入出金ユニット７１は、処理装置硬貨投入口８１に投入された硬貨を処理する。処理装置硬貨投入口８１は、上下に開口する筒状の囲壁部８２と、囲壁部８２の下方に水平に配置された図示略のベルトコンベアとで構成されている。処理装置硬貨投入口８１に投入された硬貨は、囲壁部８２の内側において図示略のベルトコンベア上に載置される。処理装置硬貨投入口８１は、天板部１６の前面１６ｂよりも前方に位置する。
【００５６】
ここで、いずれも天板部１６の前面１６ｂよりも前方に位置する図４に示す硬貨補給装置３の硬貨放出口５１と、図２に示す貨幣処理装置２の処理装置硬貨投入口８１とは、水平方向の位置を重ね合わせている。言い換えれば、硬貨補給装置３は、硬貨放出口５１を貨幣処理装置２の処理装置硬貨投入口８１の鉛直上方に配置している。硬貨放出口５１は、全体が、水平方向において処理装置硬貨投入口８１の範囲内に配置されている。よって、硬貨補給装置３は、硬貨放出口５１から処理装置硬貨投入口８１に落下で直接硬貨を導入可能となっている。
【００５７】
図１に示すように、硬貨補給装置３の突出筐体部２３と、貨幣処理装置２の突出部７５とは、上下方向に近接して配置されており、硬貨放出口５１から処理装置硬貨投入口８１に向け落下する硬貨が、処理装置硬貨投入口８１以外に零れることを規制するようになっている。
【００５８】
図２に示すように、硬貨入出金ユニット７１には、突出部７５の上部の処理装置硬貨投入口８１の左側に、オペレータによる操作入力が行われる処理装置操作部８６及びオペレータへの表示を行う処理装置表示部８７が前後に並んで設けられている。また、硬貨入出金ユニット７１の突出部７５には、これら処理装置硬貨投入口８１、処理装置操作部８６及び処理装置表示部８７の下側に、内部からバラ硬貨が貨幣処理装置２外に取出可能に出金される硬貨出金口８８が設けられ、この硬貨出金口８８の左側に、リジェクトされたリジェクト硬貨が排出される硬貨リジェクト口８９が設けられている。更に、硬貨入出金ユニット７１には、これら硬貨出金口８８及び硬貨リジェクト口８９の下側に硬貨回収庫９０が着脱可能に設けられている。
【００５９】
紙幣入出金ユニット７２は、突出部７６の上部に、バラ紙幣が金種が混在する状態で貨幣処理装置２外から一括して投入される紙幣入金口９２が設けられており、その下側に、貨幣処理装置２内からバラ紙幣が金種が混在する状態で出金される紙幣出金口９３が設けられている。紙幣入出金ユニット７２には、この紙幣出金口９３の下側に、着脱可能な紙幣回収庫９４が設けられている。紙幣入金口９２には、これを開閉するシャッタ９５が設けられている。
【００６０】
ここで、硬貨補給装置３の硬貨貯留部３１の容積は、貨幣処理装置２の処理装置硬貨投入口８１の容積よりも大きくなっている。よって、停止状態で外部から投入された投入硬貨を受け入れて一括で貯留できる最大硬貨量である硬貨貯留容量は、硬貨補給装置３の硬貨貯留部３１の硬貨貯留容量が、貨幣処理装置２の処理装置硬貨投入口８１の硬貨貯留容量よりも多くなっている。具体的に、処理装置硬貨投入口８１の硬貨貯留容量は５０枚程度であるのに対し、硬貨貯留部３１の硬貨貯留容量は、これもより多い３００枚程度となっている。即ち、貨幣処理装置２に対して、その処理装置硬貨投入口８１の硬貨貯留容量よりも多い硬貨貯留容量を有する硬貨補給装置３が取り付けられている。この硬貨補給装置３は、硬貨を自動的に貨幣処理装置２の処理装置硬貨投入口８１に投入するものである。
【００６１】
硬貨入出金ユニット７１は、処理装置硬貨投入口８１に投入された硬貨を一枚ずつに分離し内部に繰り出して搬送すると共に、搬送中に硬貨の真偽、金種及び正損等を識別し、真且つ汚損の少ない正の硬貨を金種毎に計数する。硬貨入出金ユニット７１は、この識別結果に基づいて、偽貨及び汚損の多い損貨を貨幣処理装置２外へ取出可能となるように硬貨リジェクト口８９に繰り出す一方、真且つ正の硬貨を図示略の硬貨スタッカに金種別に収納する。また、硬貨入出金ユニット７１は、硬貨スタッカに収納された硬貨を繰り出して硬貨出金口８８に出金したり、硬貨回収庫９０に回収したりする。
【００６２】
紙幣入出金ユニット７２は、紙幣入金口９２に投入された紙幣を一枚ずつに分離し繰り出して搬送すると共に、搬送中に紙幣の真偽、金種及び正損等を識別し、真且つ正の紙幣を金種毎に計数する。紙幣入出金ユニット７２は、この識別結果に基づいて、偽券及び損券を貨幣処理装置２外へ取出可能となるように紙幣出金口９３に繰り出す一方、真且つ正の紙幣を図示略の紙幣収納庫に金種別に収納する。また、紙幣入出金ユニット７２は、紙幣収納庫に収納された紙幣を繰り出して紙幣出金口９３に出金したり、紙幣回収庫９４に回収したりする。
【００６３】
図６に示すように、貨幣処理装置２は、処理装置硬貨投入口８１内の硬貨の有無を検知する投入口硬貨検知センサ９９と、処理装置硬貨投入口８１内の硬貨量が空に近いニアエンド状態にあるか否かを検知する投入口ニアエンド検知センサ１００と、処理装置硬貨投入口８１内の硬貨量が満杯に近いニアフル状態にあるか否かを検知する投入口ニアフル検知センサ１０１と、貨幣処理装置２の各部に給電する処理装置電源部１０３と、硬貨補給装置３及びＰＯＳ端末装置１１０と通信する処理装置通信部１０４と、貨幣処理装置２の各部を制御する処理装置制御部１０２とを備えている。投入口硬貨検知センサ９９、投入口ニアエンド検知センサ１００及び投入口ニアフル検知センサ１０１は、囲壁部８２に設けられており、処理装置硬貨投入口８１内の図示略のベルトコンベア上に載置されている硬貨を、硬貨で遮光されることにより検知する。
【００６４】
ＰＯＳ端末装置１１０は、オペレータにより操作入力がなされる入力操作部１１１と、オペレータに対して表示を行うと共にオペレータにより操作入力がなされるタッチパネル式の入力表示部１１２とを有する端末装置操作表示部１１３と、商品のバーコードを読み取るバーコード読取部１１４と、ＩＤカードが走査されるとＩＤ情報を読み取るカード読取部１１５と、顧客に向けて商品の料金を表示させる料金表示部１１６と、用紙に印字してレシートを発行するレシート印字部１１７と、貨幣処理装置２及び硬貨補給装置３と通信する端末装置通信部１１８と、ＰＯＳ端末装置１１０の各部に給電する端末装置電源部１１９と、これらを制御する端末装置制御部１２０とを有している。硬貨補給装置３と貨幣処理装置２とＰＯＳ端末装置１１０とは、補給装置通信部６７と処理装置通信部１０４と端末装置通信部１１８とによって通信可能に接続されている。なお、ＰＯＳ端末装置１１０は、指静脈や手のひら静脈等を利用してオペレータを認証する認証部を更に有するようにしても良い。また、ＰＯＳ端末装置１１０は、構成の一部を別筐体にしても良く、例えば、レシート印字部１１７や上記認証部をそれぞれ別筐体にして、硬貨補給装置３の上面２２ｂの平坦な主上面２２ｄを設置部として使用し、該主上面２２ｄに設置するようにしても良い。
【００６５】
次に、精算処理システム５の主な処理について説明する。
【００６６】
「入金処理」
ＰＯＳ端末装置１１０において、バーコード読取部１１４による商品バーコードの読み取り等で顧客が購入する商品の代金が確定し、端末装置操作表示部１１３に入金操作が入力されると、ＰＯＳ端末装置１１０の端末装置制御部１２０は、貨幣処理装置２の処理装置制御部１０２と硬貨補給装置３の補給装置制御部６５とに入金開始信号を出力する。
【００６７】
入金開始信号を受信すると、貨幣処理装置２の処理装置制御部１０２は、投入口硬貨検知センサ９９が処理装置硬貨投入口８１内の硬貨の有無を検知する。投入口硬貨検知センサ９９が処理装置硬貨投入口８１内に硬貨があることを検知すると、処理装置硬貨投入口８１の図示略のベルトコンベアの駆動を含む硬貨入出金ユニット７１による硬貨入金処理を開始させることになる。
【００６８】
また、入金開始信号を受信すると、貨幣処理装置２の処理装置制御部１０２は、紙幣入金口９２のシャッタ９５を開き、紙幣入金口９２への紙幣の投入が検知されると、紙幣入出金ユニット７２による紙幣入金処理を開始させることになる。
【００６９】
入金開始信号を受信すると、硬貨補給装置３の補給装置制御部６５は、硬貨補給処理を開始する。硬貨補給処理では、先ず、貯留部硬貨検知センサ６１が硬貨貯留部３１の硬貨の有無を検知する。貯留部硬貨検知センサ６１が硬貨貯留部３１内に硬貨があることを検知すると、補給装置制御部６５は、貨幣処理装置２の処理装置制御部１０２と通信して、処理装置制御部１０２に、貯留部硬貨検知センサ６１で硬貨貯留部３１内に硬貨が検知されたことを通知するための貯留部硬貨有信号を出力する。また、貯留部硬貨検知センサ６１が硬貨貯留部３１内に硬貨が無いことを検知すると、補給装置制御部６５は、貯留部硬貨無信号を処理装置制御部１０２に出力する。
【００７０】
貯留部硬貨有信号を受信すると、貨幣処理装置２の処理装置制御部１０２は、投入口硬貨検知センサ９９が処理装置硬貨投入口８１内に硬貨があることを検知していなくても、処理装置硬貨投入口８１の図示略のベルトコンベアの駆動を含む硬貨入出金ユニット７１による硬貨入金処理を開始させることになる。
【００７１】
また、貯留部硬貨有信号を受信すると、処理装置制御部１０２は、処理装置硬貨投入口８１内の硬貨がニアフル状態にあることを投入口ニアフル検知センサ１０１が検知しているか否かを確認する。確認の結果、処理装置硬貨投入口８１内の硬貨がニアフル状態である場合、処理装置制御部１０２は、ニアフル検知信号を補給装置制御部６５に出力する。ニアフル検知信号を受信すると、補給装置制御部６５は、硬貨補給装置３に硬貨の補給動作を開始させることはなく、硬貨搬送部３２のベルトコンベア４１を回転させることはない。
【００７２】
上記確認の結果、処理装置硬貨投入口８１内の硬貨が、無い状態を含んでニアフル状態にない場合、処理装置制御部１０２は、補給要求信号を補給装置制御部６５に出力する。補給要求信号を受信すると、補給装置制御部６５は、硬貨補給装置３に硬貨の補給動作を開始させる。即ち、補給装置制御部６５は、搬送モータ４２を駆動することによってベルトコンベア４１を回転させて、硬貨貯留部３１に貯留されている硬貨をベルトコンベア４１で搬送し、傾斜底部４５で滑らせて硬貨放出口５１から放出させる。硬貨放出口５１から放出された硬貨は、鉛直下方にある処理装置硬貨投入口８１内に落下し、処理装置硬貨投入口８１内に貯留される。
【００７３】
以上により、硬貨補給装置３は、貯留部硬貨検知センサ６１によって硬貨貯留部３１内に硬貨が検知されると、貨幣処理装置２に通知すると共に、硬貨搬送部３２が硬貨の搬送を開始する。
【００７４】
このようにして、処理装置硬貨投入口８１内の硬貨が増えて、ニアフル状態にあることを投入口ニアフル検知センサ１０１が検知すると、処理装置制御部１０２がニアフル検知信号を補給装置制御部６５に出力することになり、このニアフル検知信号を受信すると、補給装置制御部６５は、搬送モータ４２の駆動を停止させることによってベルトコンベア４１を停止させて補給動作を停止させる。
【００７５】
その後、硬貨入出金ユニット７１による硬貨入金処理の進行に伴って、処理装置硬貨投入口８１の硬貨が減ってニアエンド状態になったことを投入口ニアエンド検知センサ１００が検知すると、処理装置制御部１０２がニアエンド検知信号を補給装置制御部６５に出力することになる。このニアエンド検知信号を受けると、補給装置制御部６５は、搬送モータ４２を駆動することによってベルトコンベア４１を回転させて補給動作を再開させる。すると、ベルトコンベア４１が硬貨貯留部３１に貯留されている硬貨を搬送して、傾斜底部４５で滑らせて硬貨放出口５１から放出させる。硬貨放出口５１から放出された硬貨は、鉛直下方にある処理装置硬貨投入口８１内に落下し、処理装置硬貨投入口８１内に貯留される。
【００７６】
硬貨補給処理中の硬貨補給装置３は、以上のように、処理装置硬貨投入口８１のニアエンド状態で硬貨搬送部３２による硬貨の搬送即ち補給動作を開始し、処理装置硬貨投入口８１のニアフル状態で硬貨搬送部３２による硬貨の搬送即ち補給動作を停止させるという制御を適宜繰り返して、硬貨を貨幣処理装置２に補給する。即ち、硬貨補給装置３は、処理装置硬貨投入口８１の硬貨量に応じて、処理装置硬貨投入口８１内の硬貨がニアエンド状態とニアフル状態との間になるように、硬貨搬送部３２による硬貨の搬送及び搬送停止を制御して、硬貨を補給する硬貨補給処理を行う。
【００７７】
硬貨補給装置３が硬貨補給処理を行うことで、硬貨貯留部３１の硬貨がなくなったことを貯留部硬貨検知センサ６１が検知すると、補給装置制御部６５は、硬貨搬送部３２のベルトコンベア４１を停止させて硬貨補給処理を終了することになり、貯留部硬貨無信号を処理装置制御部１０２に送信する。硬貨補給処理の終了後、硬貨貯留部３１に硬貨があることを貯留部硬貨検知センサ６１が再び検知すると、補給装置制御部６５は、貯留部硬貨無信号の送信を停止させて、再び硬貨補給処理を行うことになる。
【００７８】
貯留部硬貨無信号の受信中も、処理装置制御部１０２は、硬貨入出金ユニット７１による硬貨入金処理を続行することになり、貯留部硬貨無信号の受信中に、処理装置硬貨投入口８１の硬貨がなくなったことを投入口硬貨検知センサ９９が検知すると、それまでに処理装置硬貨投入口８１から繰り出された硬貨が、全て、硬貨リジェクト口８９及び図示略の硬貨スタッカの何れかに搬送されると、硬貨入出金ユニット７１による硬貨入金処理を終了する。
【００７９】
ここで、オペレータは、端末装置操作表示部１１３に入金操作を入力した後、例えば、一括して投入する硬貨が５０枚以下であると判断した場合、硬貨補給装置３の手前の小さい補助硬貨投入口２８に硬貨を投入する。すると、補助硬貨投入口２８に投入された硬貨は、硬貨通過空間４０を通過して、硬貨放出口５１から放出され、処理装置硬貨投入口８１内に落下して、処理装置硬貨投入口８１内に貯留される。これにより、上記した入金開始信号を受信した状態の貨幣処理装置２の処理装置制御部１０２は、投入口硬貨検知センサ９９が処理装置硬貨投入口８１内に硬貨があることを検知することになり、上記のように、処理装置硬貨投入口８１の図示略のベルトコンベアの駆動を含む硬貨入出金ユニット７１による硬貨入金処理を開始させることになる。
【００８０】
また、オペレータは、例えば、一括して投入する硬貨が５０枚を超えると判断した場合、硬貨補給装置３の奥側の大きい補給装置硬貨投入口２７に硬貨を投入する。すると、補給装置硬貨投入口２７に投入された硬貨は、硬貨貯留部３１に貯留される。これにより、硬貨補給装置３が上記した硬貨補給処理を行い、貨幣処理装置２への硬貨の補給動作を行うことになる。
【００８１】
硬貨入金処理では、硬貨入出金ユニット７１が、処理装置硬貨投入口８１の硬貨を一枚ずつに分離し内部に繰り出して搬送すると共に、搬送中に硬貨の真偽、金種及び正損等を識別し真且つ正の硬貨を金種毎に計数する。硬貨入出金ユニット７１は、この識別結果に基づいて、偽貨及び損貨を貨幣処理装置２外へ取出可能となるように硬貨リジェクト口８９に繰り出す一方、真且つ正の硬貨を図示略の硬貨スタッカに金種別に収納する。
【００８２】
紙幣入金処理では、紙幣入出金ユニット７２が、紙幣入金口９２に投入された紙幣を一枚ずつに分離し内部に繰り出して搬送すると共に、搬送中に紙幣の真偽、金種及び正損等を識別し真且つ正の紙幣を金種毎に計数する。紙幣入出金ユニット７２は、この識別結果に基づいて、偽券及び損券を貨幣処理装置２外へ取出可能となるように紙幣出金口９３に繰り出す一方、真且つ正の紙幣を図示略の紙幣収納庫に金種別に収納する。
【００８３】
硬貨貯留部３１及び処理装置硬貨投入口８１の硬貨が、全て、硬貨リジェクト口８９及び図示略の硬貨スタッカの何れかに搬送され、紙幣入金口９２の紙幣が全て、図示略の紙幣収納庫及び紙幣出金口９３の何れかに搬送されると、ＰＯＳ端末装置１１０の端末装置制御部１２０は、今回の入金処理において受け入れた硬貨及び紙幣の計数結果と、入金取消をするか、入金確定をするかの選択操作を促す表示とを端末装置操作表示部１１３に表示させる。
【００８４】
上記した入金取消をするか、入金確定をするかの問いに対して、オペレータが、承認操作入力である入金確定の選択操作をＰＯＳ端末装置１１０の端末装置操作表示部１１３に入力すると、端末装置制御部１２０は、今回の入金処理で受け入れた硬貨及び紙幣の計数値を確定して記憶すると共に、その合計金額から商品代金を減算して釣銭金額を算出し、入金処理を終了する。釣銭がある場合には、引き続き、後述の出金処理を行う。
【００８５】
「入金返却処理」
他方、入金処理における上記した入金取消をするか、入金確定をするかの問いに対して、オペレータが、取り消し操作入力である入金取消の選択操作をＰＯＳ端末装置１１０の端末装置操作表示部１１３に入力すると、端末装置制御部１２０は、貨幣処理装置２の処理装置制御部１０２と通信し、その結果、処理装置制御部１０２が硬貨入出金ユニット７１において、図示略の硬貨スタッカから、入金された金額のうち硬貨部分を構成する返却硬貨を硬貨出金口８８に出金させる。また、処理装置制御部１０２は、貨幣処理装置２の紙幣入出金ユニット７２において、図示略の紙幣収納庫から、入金された金額のうち紙幣部分を構成する返却紙幣を紙幣出金口９３に出金させる。
【００８６】
「出金処理」
ＰＯＳ端末装置１１０の端末装置制御部１２０は、上記したように入金処理で受け入れた硬貨及び紙幣の合計金額から商品代金を減算して釣銭金額を算出し、釣銭がある場合には、釣銭金額を出金させるように貨幣処理装置２を制御する。端末装置制御部１２０は、貨幣処理装置２の処理装置制御部１０２と通信し、その結果、処理装置制御部１０２が硬貨入出金ユニット７１において、図示略の硬貨スタッカから、釣銭金額のうち硬貨部分を構成する釣銭硬貨を硬貨出金口８８に出金させる。また、処理装置制御部１０２は、貨幣処理装置２の紙幣入出金ユニット７２において、図示略の紙幣収納庫から、釣銭金額のうち紙幣部分を構成する釣銭紙幣を紙幣出金口９３に出金させる。
【００８７】
「投入硬貨補充処理」
ＰＯＳ端末装置１１０の端末装置操作表示部１１３に投入硬貨補充処理の実行が入力されると、貨幣処理機１は、投入された硬貨を上記した入金処理と同様にして図示略の硬貨スタッカに補充する投入硬貨補充処理を行う。このとき、オペレータは、例えば棒金保管庫７３から棒金を取り出し、これを崩してバラ硬貨の状態として、硬貨補給装置３の補助硬貨投入口２８或いは補給装置硬貨投入口２７に投入する。すなわち、例えば、棒金一本分の５０枚の硬貨を補充する場合は、補助硬貨投入口２８に投入し、棒金複数本分の硬貨を補充する場合は、補給装置硬貨投入口２７に投入する。勿論、棒金複数本分の硬貨を補充する場合は、そのうちの一本分を補助硬貨投入口２８に投入し、残りを補給装置硬貨投入口２７に投入することも可能である。補助硬貨投入口２８に投入された硬貨は、硬貨放出口５１から貨幣処理装置２の処理装置硬貨投入口８１に導入されることになる。補給装置硬貨投入口２７に投入され硬貨貯留部３１に貯留された硬貨は、上記した硬貨補給処理で処理装置硬貨投入口８１に補給されることになる。
【００８８】
ここで、入金処理及び投入硬貨補充処理において、各部位に設けられた図示略のセンサの検知結果から硬貨入出金ユニット７１の異常を検知すると、処理装置制御部１０２は、異常検知信号を硬貨補給装置３の補給装置制御部６５に出力して異常検知を通知する。補給装置制御部６５は、この異常検知信号を受信すると、開閉駆動部５６を駆動してシャッタ５５を閉状態として硬貨放出口５１を閉じると共に、硬貨搬送部３２の搬送モータ４２の駆動を停止して、ベルトコンベア４１の回転を停止させる。即ち、硬貨補給装置３は、貨幣処理装置２から異常検知が通知されると、シャッタ５５で硬貨放出口５１を閉じると共に、硬貨搬送部３２を停止させる。
【００８９】
その後、貨幣処理装置２の硬貨入出金ユニット７１がケース体７０から引き出されて復旧作業が行われる。硬貨入出金ユニット７１がケース体７０から引き出されると、硬貨入出金ユニット７１の処理装置硬貨投入口８１の水平方向の位置が、硬貨補給装置３の硬貨放出口５１に対してずれることになるが、シャッタ５５が硬貨放出口５１を閉じているため、硬貨放出口５１からの硬貨の硬貨補給装置３外への零れが規制される。よって、硬貨補給装置３の硬貨が、硬貨入出金ユニット７１の処理装置硬貨投入口８１以外の部分に落下してしまうこと等を規制することができる。
【００９０】
処理装置制御部１０２は、各部位に設けられた図示略のセンサの検知結果から硬貨入出金ユニット７１の異常が解消されて硬貨入出金ユニット７１がケース体７０に押し込まれたと判定すると、ＰＯＳ端末装置１１０の端末装置制御部１２０に異常解消信号を出力する。この異常解消信号を受信すると端末装置制御部１２０は、端末装置操作表示部１１３に「スタート」のボタン表示を表示する。オペレータによって端末装置操作表示部１１３に表示された「スタート」のボタン表示がタッチされると、端末装置制御部１２０は、再開通知信号を処理装置制御部１０２及び補給装置制御部６５に出力する。この再開通知信号を受信すると、処理装置制御部１０２は、硬貨入出金ユニット７１の入金処理を再開することになり、この再開通知信号を受信すると、補給装置制御部６５は硬貨補給装置３の硬貨補給処理を再開する。
【００９１】
以上に述べた実施形態の硬貨補給装置３によれば、上向きで硬貨補給装置３外に開口する補給装置硬貨投入口２７に硬貨が投入されると、この硬貨を硬貨貯留部３１が貯留することになり、硬貨搬送部３２が硬貨貯留部３１に貯留している硬貨を搬送すると、この硬貨を下向きで硬貨補給装置３外に開口する硬貨放出口５１から硬貨補給装置３外へ放出することになる。よって、この硬貨補給装置３を、硬貨放出口５１からの硬貨を貨幣処理装置２の処理装置硬貨投入口８１に導入するように設けることで、貨幣処理装置２外から投入され貨幣処理装置２で内部に繰り出す前の投入硬貨の貯留容量である硬貨貯留容量を容易に増量可能となる。従って、硬貨処理作業の作業性を向上可能となる。
【００９２】
また、硬貨補給装置３によれば、上向きで硬貨補給装置３外に開口する補助硬貨投入口２８に硬貨補給装置３外から硬貨を投入すれば、この硬貨を硬貨放出口５１に直接落下させることができる。よって、少量の硬貨を投入する際に、補助硬貨投入口２８に投入すれば、即座に硬貨補給装置３の硬貨放出口５１から貨幣処理装置２の処理装置硬貨投入口８１に導入することができる。従って、硬貨処理の速度を高めることが可能となる。
【００９３】
また、硬貨補給装置３によれば、上向きで硬貨補給装置３外に開口する補助硬貨投入口２８に硬貨補給装置３外から硬貨を投入すれば、この硬貨を鉛直下方の硬貨放出口５１に直接落下させることができる。よって、少量の硬貨を投入する際に、補助硬貨投入口２８に投入すれば、即座に硬貨補給装置３の硬貨放出口５１から貨幣処理装置２の処理装置硬貨投入口８１に導入することができる。従って、硬貨処理の速度を高めることが可能となる。
【００９４】
また、硬貨補給装置３によれば、例えば、貨幣処理装置２から異常検知が通知された際に、シャッタ５５で硬貨放出口５１を閉じることができるため、貨幣処理装置２の異常復旧作業等の際に、硬貨補給装置３の硬貨放出口５１からの硬貨の零れを抑制することができる。
【００９５】
また、硬貨補給装置３によれば、補給装置制御部６５及び補給装置電源部６６を補給装置筐体２１内の硬貨貯留部３１よりも後方に設け、この後方部分の補給装置筐体２１の上の主上面２２ｄを水平な平坦面としている。このため、主上面２２ｄに、プリンタ、認証装置（静脈認証装置、手平認証装置）等の、精算処理システム５を構成する他の機器を設置することができる。即ち、硬貨補給装置３の奥行方向奥側の補給装置制御部６５及び補給装置電源部６６が収納される部分の上側を他の機器の設置スペースとして有効利用できる。
【００９６】
実施形態の硬貨処理機１によれば、上向きで硬貨補給装置３外に開口する補給装置硬貨投入口２７に硬貨が投入されると、この硬貨を硬貨貯留部３１が貯留することになり、硬貨搬送部３２が硬貨貯留部３１に貯留している硬貨を搬送すると、この硬貨を下向きで硬貨補給装置３外に開口する硬貨放出口５１から貨幣処理装置２の処理装置硬貨投入口８１に導入することになる。よって、硬貨処理機１外から投入され貨幣処理装置２で内部に繰り出す前の投入硬貨の硬貨貯留容量を容易に増量可能となる。従って、硬貨処理作業の作業性を向上可能となる。
【００９７】
また、硬貨処理機１によれば、硬貨補給装置３の硬貨放出口５１から放出される硬貨を、硬貨放出口５１の鉛直下方の処理装置硬貨投入口８１に直接導入するため、構造を簡素化することができる。
【００９８】
また、硬貨処理機１によれば、硬貨補給装置３の硬貨貯留部３１における硬貨貯留容量が、貨幣処理装置２の処理装置硬貨投入口８１における硬貨貯留容量よりも多いため、硬貨処理機１外から投入され貨幣処理装置２で内部に繰り出す前の投入硬貨の硬貨貯留容量を容易に増量できる。加えて、処理装置硬貨投入口８１の硬貨貯留容量よりも多い硬貨を自動で処理装置硬貨投入口８１に投入可能となることから、作業性が良くなる。
【００９９】
また、硬貨処理機１によれば、硬貨補給装置３は、硬貨貯留部３１内の硬貨が貯留部硬貨検知センサ６１によって検知されると、貨幣処理装置２に通知すると共に、硬貨搬送部３２が硬貨の搬送を開始するため、硬貨補給装置３の硬貨貯留部３１内に硬貨を投入すれば、自動的に貨幣処理装置２へ通知して貨幣処理装置２を作動させることができ、自動的に硬貨搬送部３２による硬貨の搬送を開始できる。従って、硬貨処理作業の作業性をより向上できる。
【０１００】
また、硬貨処理機１によれば、貨幣処理装置２から異常検知が通知されると、硬貨補給装置３はシャッタ５５で硬貨放出口５１を閉じると共に、硬貨搬送部３２を停止させるため、貨幣処理装置２の異常復旧作業等の際に、硬貨補給装置３の硬貨放出口５１からの硬貨の零れを抑制することができる。
【０１０１】
また、硬貨処理機１によれば、硬貨補給装置３は、貨幣処理装置２の処理装置硬貨投入口８１の硬貨量に応じて、硬貨搬送部３２による硬貨の搬送を制御するため、処理装置硬貨投入口８１の硬貨量が過多及び過少状態になることを抑制することができる。即ち、処理装置硬貨投入口８１の硬貨量が過多になると硬貨処理速度が低下してしまうことになり、また、硬貨補給装置３に硬貨があるにもかかわらず処理装置硬貨投入口８１の硬貨量が０になって繰り出しが中断しても硬貨処理速度が低下してしまうことになるが、これらの硬貨処理速度の低下を抑制することができる。
【０１０２】
以上の実施形態を以下の変形例１〜５のように変更することができる。
【０１０３】
［変形例１］
硬貨補給装置３が操作入力を受け付ける補給装置操作部（ボタン、タッチパネル、又は、近接センサ）を有するようにしても良い。即ち、上記実施形態では、貯留部硬貨検知センサ６１が硬貨を検知すると、補給装置制御部６５は硬貨搬送部３２を駆動して硬貨の放出を開始すると共に、貨幣処理装置２に通知するようになっているが、オペレータが硬貨補給装置３に硬貨を投入して補給装置操作部の「スタート」ボタンを押したことを条件に、補給装置制御部６５が硬貨搬送部３２を駆動して硬貨の放出を開始するようにしても良い。加えて、補給装置操作部の「スタート」ボタンを押したことを条件に、処理装置制御部１０２が、処理装置硬貨投入口８１の図示略のベルトコンベアの駆動を含む硬貨入出金ユニット７１による硬貨入金処理を開始するようにしても良い。
【０１０４】
［変形例２］
硬貨補給装置３の補給装置硬貨投入口２７及び補助硬貨投入口２８の少なくとも何れか一方にシャッタを設けても良い。この場合、例えば、電源がＯＮとなる、認証部によってオペレータが認証される、ＰＯＳ端末装置１１０の端末装置操作表示部１１３が操作される又は上記補給装置操作部が操作されることによって、シャッタが開き硬貨を投入できるようにすることができる。これにより、硬貨補給装置３への異物の投入、混入を抑制することができる。
【０１０５】
［変形例３］
硬貨補給装置３のシャッタ５５を、待機時には閉鎖しておき、ＰＯＳ端末装置１１０の端末装置操作表示部１１３が操作される、貯留部硬貨検知センサ６１が硬貨を検知する、上記補給装置操作部が操作される、別途シャッタ５５上の硬貨の有無を検出するセンサを設けて硬貨の投入を検出する等によって、開くようにしても良い。硬貨の有無を検出するセンサが、硬貨ではなくゴミを検知した場合、硬貨補給装置３はアラームを発生させるようにしても良い。また、硬貨補給装置３のシャッタ５５を、電源ＯＦＦ時には閉鎖するようにし、電源がＯＮとなる又は認証部によってオペレータが認証される等によって、開くようにしても良い。
【０１０６】
［変形例４］
硬貨補給装置３を貨幣処理装置２が収容されたラック１０に取り付けて、硬貨補給装置３を間接的に貨幣処理装置２に取り付けるのではなく、当然、ラック１０が無しの状態で、硬貨補給装置３を貨幣処理装置２に直接的に取り付けるようにしても良い。この場合、硬貨補給装置３は、ケース体７０に取り付けられることになる。
【０１０７】
［変形例５］
実施形態及び変形例４のようにラック１０の有無によって、処理装置硬貨投入口８１と硬貨放出口５１との間の距離が異なることになるので、これらの間に、距離に応じた接続シュートを適宜設けて、硬貨の外部への零れを防止するようにしても良い。
【０１０８】
［変形例６］
硬貨補給装置３が、硬貨貯留部３１内の硬貨を検知することで、貨幣処理装置２に硬貨搬送部３２が硬貨の搬送を開始することが可能となったことを通知すると共に、貨幣処理装置２からの硬貨搬送開始を指示する信号を受けることで硬貨搬送部３２に硬貨の搬送を開始させるようにしても良い。即ち、上記実施形態では、貯留部硬貨検知センサ６１が硬貨を検知すると、補給装置制御部６５は硬貨搬送部３２を駆動して硬貨の放出を無条件に開始するようになっているが、これに代えて、貯留部硬貨検知センサ６１が硬貨を検知すると、補給装置制御部６５は硬貨搬送部３２を駆動して硬貨の放出を無条件に開始する準備ができたことを貨幣処理装置２に通知すると共に、貨幣処理装置２からの硬貨搬送開始を指示する信号を受けることで硬貨搬送部３２に硬貨の搬送を開始させるようにすることができる。これにより、貨幣処理装置２が直ちに硬貨を受け入れる状態にないときは、硬貨補給装置３への信号が発せられることが無く、硬貨補給装置３からの硬貨の補給が無条件に開始されることが無く、貨幣処理装置２が硬貨を受け入れる状態のときに出力される信号によって初めて硬貨の搬送を開始させることができる。
【０１０９】
以上においては、硬貨補給装置３を、硬貨及び紙幣の処理を行う貨幣処理装置２に組み合わせて硬貨及び紙幣の処理を行う貨幣処理機１を構成する場合を例にとり説明したが、勿論、硬貨補給装置３を、硬貨のみを処理する硬貨処理装置に組み合わせて硬貨のみの処理を行う硬貨処理機を構成するようにしても良い。
【符号の説明】
【０１１０】
１…貨幣処理機（硬貨処理機）、２…貨幣処理装置（硬貨処理装置）、３…硬貨補給装置、２７…補給装置硬貨投入口、２８…補助硬貨投入口、３１…硬貨貯留部、３２…硬貨搬送部、４１…ベルトコンベア、５１…硬貨放出口、５５…シャッタ、６１…貯留部硬貨検知センサ、８１…処理装置硬貨投入口。
【図１】
2018128763.tif 000003
【図２】
2018128763.tif 000004
【図３】
2018128763.tif 000005
【図４】
2018128763.tif 000006
【図５】
2018128763.tif 000007
【図６】
2018128763.tif 000008